(57)【要約】【課題】  植物が収容された容器内の蒸発した液体量を確実に補給でき、植物が収容された容器内の水位を維持できる植物液体供給装置を提供する。【解決手段】  固定支柱６によって支えられて墓石の供物台１４上に設置された給水容器２内には、ペットボトル３が倒立した状態で収容されている。ペットボトル３の開口部３ａから放出された水は、チューブ５を伝って墓石の花立１３に収められた花筒４内へ流れ、花筒内の基準水位１７と給水容器内の基準水位１５とが同一高さとなると、開口部３ａからの水の放出は止まる。花筒４内の水が蒸発等した後の水位１８まで花筒４内の水位が低下すると、給水容器２内の水位は給水後の水位１６まで低下し、ペットボトル３は水を放出する。給水された花筒４内の水位は上がり、再び花筒内の基準水位１７と給水容器内の基準水位１５とが同一高さとなると、開口部３ａからの水の放出は止まる。【選択図】  図２
2006042662.tif 000002
【特許請求の範囲】
【請求項１】
植物に液体を供給する植物液体供給装置であって、
開口部を有する液体入り容器を、前記開口部が収容されるように支持する液体供給容器と、
該液体供給容器に連結されて液体の供給を受けると共に、植物を収容する植物収容容器を備え、
前記液体入り容器は、前記開口部が所定高さとなる様に配された
ことを特徴とする植物液体供給装置。
【請求項２】
前記液体供給容器および前記植物収容容器から選ばれる少なくとも１つの容器内に炭が入れられている
ことを特徴とする請求項１に記載の植物液体供給装置。
【発明の詳細な説明】
【技術分野】
【０００１】
本発明は植物液体供給装置に関する。詳しくは、開口部を有する液体入り容器を収容した容器と植物を収容した容器とを連結させて、植物を収容した容器内の水位を維持するようにした植物液体供給装置に係るものである。
【背景技術】
【０００２】
植物、特に花は、古くから花瓶等に入れられて人の心を和ませると共に、その場の雰囲気を明るくするものとして重宝されてきた。
例えば、先祖が眠る墓には、先祖が安らかに眠れるよう花を生けるための花立が設けられている。墓の花立の水は、墓参りの際に給水した後は蒸発等により、雨でも降らない限り減る一方であり、特に夏季では雨量も少なく、蒸発も早いため、せっかく手向けられた花が短期間で枯れてしまっていた。
【０００３】
そこで、花立の水量を維持できる装置が提案されている。このような装置として、例えば、花立の水が蒸発して減少した場合に、減少した水量が給水槽から花立に給水され、花立の水面の位置と給水槽の水面の位置とが同一になるまで給水される装置が挙げられる（例えば、特許文献１参照。）。
【０００４】
図４に、花立の水量を維持できる従来の装置の概略正面図を示す。図４に示すように、花立の水量を維持できる従来の装置は、墓地１０１に設けられた支柱（不図示）によって支持された桶１０２と、桶１０２に貫設された濾過網１０２ａと、桶１０２の下流側に設けられた箱状の給水槽１０４と、濾過網１０２ａと給水槽１０４とを連結する取水管１０５と、墓石の墓石台１０３の左右の少なくとも一方に付設された花立１１１と、給水槽１０４と花立１１１とを連結する連結管１０９と、花立１１１の外側に設けられた排水槽１１２と、該排水槽１１２に貫設された排水管１１４とから構成されている。給水槽用連結管１０８は、その上端部が給水槽１０４の底部に接続され、その下端部はゴム継ぎ手１１０によって連結管１０９の一方の端部に接続されている。花立用連結管１１３は、その上端部が花立１１１の底部と接続されると共にその下端部がゴム継ぎ手１１０によって連結管１０９の他方の端部に接続されている。花立１１１の上面開口部と同じ高さに位置するのが、給水槽１０４の上限水位１０６であり、取水管１０５の下端部と同じ高さに位置するのが、花立１１１の基準水位１０７である。給水槽１０４には、点検口１０４ａが形成され、該点検口１０４ａを開閉可能に閉塞する蓋板１０４ｂが取り付けられている。
【０００５】
【特許文献１】特開２００４−６０３１５号公報
【発明の開示】
【発明が解決しようとする課題】
【０００６】
しかしながら、従来の装置では、雨水を貯めるために上部開放型の桶に雨水を貯め、この雨水を給水槽に供給しているため、雨が降らない日が長く続き気温も高い夏季においては、貯めた雨水自体も蒸発して量が減り、やがて桶の水がなくなると、給水槽内の水位も下がり、花立の水面の位置と給水槽の水面の位置とが同一になるまで給水されるので、花立の水面位置は低下していく。
【０００７】
本発明は、以上の点に鑑みて創案されたものであり、花等の植物が収容された容器内の蒸発した液体量を確実に補給でき、植物が収容された容器内の水位を維持できる植物液体供給装置を提供することを目的とする。
【課題を解決するための手段】
【０００８】
上記の目的を達成するために、本発明の植物液体供給装置は、植物に液体を供給する植物液体供給装置であって、開口部を有する液体入り容器を、前記開口部が収容されるように支持する液体供給容器と、該液体供給容器に連結されて液体の供給を受けると共に、植物を収容する植物収容容器を備え、前記液体入り容器は、前記開口部が所定高さとなる様に配されたものである。
【０００９】
液体入り容器が、その開口部が所定高さとなる様に配されることによって、植物収容容器の水位を所定高さに維持することができ、植物収容容器に収容した植物に液体を供給することができる。なお、ここでいう「所定高さ」は、植物収容容器に収容した植物に液体を供給することができる高さをいう。
【発明の効果】
【００１０】
本発明に係る植物液体供給装置は、植物が収容された容器内の蒸発した液体量を確実に補給でき、植物が収容された容器内の水位を維持できる。
【発明を実施するための最良の形態】
【００１１】
以下、本発明の実施の形態について図面を参照しながら説明し、本発明の理解に供する。
【００１２】
図１は、本発明を適用した植物液体供給装置の概略図である。植物液体供給装置である植物給水装置１は、六角形状の倒立した水入りペットボトル３を収容して支持する円筒状のプラスティック製の給水容器２と、ズレ防止ダボ８、固定ナット９および固定ネジ１０によって給水容器２表面に取り付けられて、給水容器２を固定して支える、底面に吸盤７を備えた３つの金属製の固定支柱６と、それぞれ金属製のチューブ５および袋ナット１１によって給水容器２と連結され、上端が開口した２つのプラスティック製の花筒４からなる。給水容器２の高さを調節できるよう固定支柱６には複数の貫通穴６ａが設けられている。
【００１３】
ここで、金属製のチューブ５は取り外しができ、長さの異なる他のチューブに取り替えることで、給水容器２と花筒４間の距離を調節できる。更に、図１においては、左右のチューブ５の長さは同じであるが、互いに異なる長さのチューブを用いてもよい。チューブ５はプラスティック製、ガラス製若しくはゴム製でもよい。
【００１４】
また、給水容器２は固定支柱６によって固定されているが、安定して給水容器２を置けるのであれば、固定支柱６は取り付けなくてもよい。また、給水容器２を固定できるのであれば、固定支柱６の材質はどのようなものでもよいが、例えば固定支柱６が木製若しくはプラスティック製であれば、金属製のものよりも軽量であり、持ち運び易くなって好ましい。
【００１５】
更に、給水容器２は、ペットボトルを収容して支持できるものであればどのような材質のものでもよく、例えば、木製、竹製、金属製、透明なガラス製若しくは透明なプラスティック製のものでもよい。特に、ペットボトル内の水の量を把握でき、水入りペットボトルの交換やペットボトルへの水の補充が円滑に行われるので、給水容器２を透明なガラス製若しくはプラスティック製とすることが好ましい。
【００１６】
また、給水容器２は、ペットボトルを収容して支持できるものであればどのような形状でもよく、例えば、断面が四角形状のものや断面がペットボトルの対角を直径とする円形のものでもよい。特に、給水容器２の断面形状がペットボトルの形状と合致するものであれば、給水容器２内が密閉状態に近くなって給水容器２内の水が蒸発しにくくなり、大容量のペットボトルは六角形状のものが多いので、より長時間、水を花筒４に補給できるという観点から、六角形状が好ましい。
【００１７】
また、液体を収容できて開口部を有する容器であればペットボトル以外のものでもよく、例えばガラス瓶、金属瓶若しくは陶器瓶を用いてもよい。
【００１８】
また、給水容器２、ペットボトル３および固定支柱６を化粧カバーで覆うことで、外観美化や日射からの保護に寄与することができる。異臭発生を防止するために、給水容器２や花筒４内に炭を入れることが好ましく、具体的には例えば竹炭等を入れることが好ましい。固定支柱６は底面に、固定支柱自体が動かないよう吸盤７を備えているが、固定支柱自体を動かないようにできれば吸盤以外のものでもよく、例えば両面テープ若しくは滑り止めゴム足を備えていてもよい。
【００１９】
また、図１において、花筒４は円筒状であるが、墓石の花立に収まるものであればどのような断面形状でもよく、例えば四角形状や六角形状でもよい。また、花筒４は、植物を収容できるものであればどのような材質で構成されていてもよく、例えば金属製、ガラス製若しくは陶器製でもよい。
【００２０】
また、液体であれば純粋な水以外でもよく、例えば植物成長剤等を含んだ水等を用いてもよい。
【００２１】
図２は、花筒とペットボトル開口部の高さ関係を示す概略断面図である。墓石の例えば供物台１４上に、ズレ防止ダボ８、固定ナット９および固定ネジ１０を備える固定支柱６によって支えられて設置された給水容器２内には、ペットボトル３が倒立した状態で収容されている。このペットボトル３は、給水容器２内に備え付けられたペットボトル受口１２に支えられ、ペットボトル３の開口部３ａが給水容器２の底面から離れて位置する。ペットボトル受口１２の側面には、ペットボトル受口側面開口部１２ａが設けられている。ペットボトル３の開口部３ａの位置よりも花筒４の上端位置を高くすることによって、花等の植物を花筒４に収容しても花筒４から水が溢れることなく、花筒４へ水を供給できる。
花立１３内に収められた花筒４の上端位置が、ペットボトル３の開口部３ａの位置よりも２０〜３０ｍｍ高くなるよう花筒とペットボトル開口部の高さをそれぞれ調節する。この調節は、ズレ防止ダボ８と固定ネジ１０を通す貫通穴６ａを変えるか、若しくはペットボトル受口１２の高さを変えることによって行うことができる。
【００２２】
ここで、ペットボトルの開口部が給水容器に収容されるのであれば、ペットボトルの開口部は給水容器底面に面していなくてもよく、例えば給水容器内側面に面していてもよい。また、花筒の上端位置がペットボトルの開口部よりも高ければ、２０ｍｍ未満若しくは３０ｍｍより高くしてもよい。
【００２３】
また、ペットボトル３を支持できれば、ペットボトル受口１２は備え付けなくてもよく、例えば給水容器自体を、ばね材料で形成して、ペットボトルを収容すべく容器内に押し込む際には給水容器の壁が外側へ押し広がり、押し込みをやめると給水容器の壁がばねの戻ろうとする力によってペットボトルを挟んで支持してもよい。
【００２４】
ペットボトル３の開口部３ａから放出された水は、ペットボトル受口側面開口部１２ａを通って給水容器２内に広がり、更にチューブ５を伝って墓石の花立１３に収められた花筒４内へ流れ、花筒内の基準水位１７と給水容器内の基準水位１５とが同一高さとなると、開口部３ａからの水の放出は止まる。この場合、給水容器内の基準水位１５は開口部３ａの位置と同じ高さであり、開口部３ａは水面に接触している。花筒４内の水が蒸発等した後の水位１８まで花筒４内の水位が低下すると、給水容器２内の水がチューブ５を伝って花筒４へと流れるので、給水容器２内の水位は、給水後の水位１６まで低下する。すると、水面とペットボトル３の開口部３ａとの間に隙間ができ、ペットボトル３は水を放出する。給水された花筒内の水位は上がり、再び花筒内の基準水位１７と給水容器内の基準水位１５とが同一高さとなると、開口部３ａからの水の放出は止まる。
【００２５】
図３は、本発明を適用した植物給水装置を墓石に設置した状態を示す概略図である。植物給水装置１の給水容器２は、倒立したペットボトル３を収容してこれを支持すると共に、墓石１９の供物台１４上に固定支柱６によって載置され、２つある花立１３内にそれぞれ収容されて花が立てられている花筒４と給水容器２がチューブ５によって連結されている。給水容器２は、ペットボトル３の開口部位置が花筒４の上端位置よりも低ければ、供物台１４以外の場所に置いてもよい。
【００２６】
以上説明したような機構によって、本発明を適用した植物液体供給装置は、花筒内の蒸発した水量を確実に給水でき、花筒内の水位を維持できる。
【図面の簡単な説明】
【００２７】
【図１】本発明を適用した植物液体供給装置の概略図である。
【図２】花筒とペットボトル開口部の高さ関係を示す概略断面図である。
【図３】本発明を適用した植物液体供給装置を墓石に設置した状態を示す概略図である。
【図４】従来の装置の概略正面図である。
【符号の説明】
【００２８】
１    植物給水装置
２    給水容器
３    ペットボトル
３ａ    開口部
４    花筒
５    チューブ
６    固定支柱
６ａ    貫通孔
７    吸盤
８    ズレ防止ダボ
９    固定ナット
１０    固定ネジ
１１    袋ナット
１２    ペットボトル受口
１２ａ    ペットボトル受口側面開口部
１３    花立
１４    供物台
１５    給水容器内の基準水位
１６    給水容器内の給水後の水位
１７    花筒内の基準水位
１８    蒸発等した後の花筒内の水位
１９    墓石
【図１】
2006042662.tif 000003
【図２】
2006042662.tif 000004
【図３】
2006042662.tif 000005
【図４】
2006042662.tif 000006